(57)【要約】【課題】端末装置と基地局ネットワークとの通信接続断の発生を低減（又は、防止）することができる端末装置などを提供する。【解決手段】端末装置（移動端末装置２１−１）は、基地局装置１−１〜１−２、２−１〜２−３との間で無線により通信する無線通信部と、前記無線通信部により、主となる基地局装置（ＰＣｅｌｌ）との間で無線通信が可能となるように接続するとともに、従となる基地局装置（ＳＣｅｌｌ）との間で無線通信が可能となるように接続する接続制御部と、前記主となる基地局装置との無線通信の品質があらかじめ定められた条件に基づいて低い状態を検出する通信品質検出部と、前記通信品質検出部により前記状態が検出された場合に、前記無線通信部によりあらかじめ定められた信号を基地局装置の側へ無線により送信する信号送信制御部と、を備えることを特徴とする。【選択図】図１
2014138286.tif 000002
【特許請求の範囲】
【請求項１】
基地局装置との間で無線により通信する無線通信部と、
前記無線通信部により、主となる基地局装置との間で無線通信が可能となるように接続するとともに、従となる基地局装置との間で無線通信が可能となるように接続する接続制御部と、
前記主となる基地局装置との無線通信の品質があらかじめ定められた条件に基づいて低い状態を検出する通信品質検出部と、
前記通信品質検出部により前記状態が検出された場合に、前記無線通信部によりあらかじめ定められた信号を基地局装置の側へ無線により送信する信号送信制御部と、
を備えることを特徴とする端末装置。
【請求項２】
端末装置との間で無線により通信する無線通信部と、
主となる基地局装置として前記無線通信部により端末装置との間で無線通信が可能であるように接続しているときに、前記端末装置からあらかじめ定められた信号を受信した場合に、従となる基地局装置として前記端末装置との間で無線通信が可能であるように接続している他の基地局装置との間におけるハンドオーバの処理を実行するハンドオーバ処理実行部と、
を備えることを特徴とする基地局装置。
【請求項３】
端末装置と、複数の基地局装置を有し、
前記端末装置は、主となる基地局装置との間で無線通信が可能となるように接続するとともに従となる基地局装置との間で無線通信が可能となるように接続し、前記主となる基地局装置との無線通信の品質があらかじめ定められた条件に基づいて低い状態を検出した場合に、あらかじめ定められた信号を基地局装置の側へ無線により送信し、
前記基地局装置は、主となる基地局装置として前記端末装置との間で無線通信が可能であるように接続しているときに、前記端末装置から前記あらかじめ定められた信号を受信した場合に、従となる基地局装置として前記端末装置との間で無線通信が可能であるように接続している他の基地局装置との間におけるハンドオーバの処理を実行する、
ことを特徴とする通信システム。
【請求項４】
前記ハンドオーバの処理において、前記従となる基地局装置から新たに主となる基地局装置へ切り替えられる前記他の基地局装置と前記端末装置との間におけるランダムアクセスの処理を不実行とする、
ことを特徴とする請求項３に記載の通信システム。
【請求項５】
前記ハンドオーバの処理において、前記主となる基地局装置から新たに従となる基地局装置へ切り替えられる基地局装置は、自装置の識別情報を新たに従となる基地局装置の候補の情報として、前記従となる基地局装置から新たに主となる基地局装置へ切り替えられる前記他の基地局装置へ送信し、
前記ハンドオーバの処理が完了した後に、前記主となる基地局装置から新たに従となる基地局装置へ切り替えられた基地局装置を従となる基地局装置として前記端末装置と接続する、
ことを特徴とする請求項３又は請求項４に記載の通信システム。
【請求項６】
前記主となる基地局装置から新たに従となる基地局装置へ切り替えられた基地局装置を従となる基地局装置として前記端末装置と接続する処理において、前記従となる基地局装置と前記端末装置との間におけるランダムアクセスの処理を不実行とする、
ことを特徴とする請求項５に記載の通信システム。
【請求項７】
端末装置は、主となる基地局装置との間で無線通信が可能となるように接続するとともに従となる基地局装置との間で無線通信が可能となるように接続し、前記主となる基地局装置との無線通信の品質があらかじめ定められた条件に基づいて低い状態を検出した場合に、あらかじめ定められた信号を基地局装置の側へ無線により送信し、
基地局装置は、主となる基地局装置として前記端末装置との間で無線通信が可能であるように接続しているときに、前記端末装置から前記あらかじめ定められた信号を受信した場合に、従となる基地局装置として前記端末装置との間で無線通信が可能であるように接続している他の基地局装置との間におけるハンドオーバの処理を実行する、
ことを特徴とする通信方法。
【発明の詳細な説明】
【技術分野】
【０００１】
本発明は、端末装置、基地局装置、通信システム及び通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
更に、基地局装置と移動端末装置との通信において、Ｃ−ＰｌａｎｅとＵ−Ｐｌａｎｅを分離して、それぞれを異なる基地局装置を介して伝送するネットワーク形態が提案されている（非特許文献２参照。）。
【０００４】
ここで、マクロセル（Ｍａｃｒｏ  Ｃｅｌｌ）のマクロ基地局装置とは、主に移動端末装置のカバレッジ確保のために広くエリア展開される基地局装置を指し、一例として８００ＭＨｚ帯などのキャリア周波数の帯域が利用される。また、小セル（Ｓｍａｌｌ  Ｃｅｌｌ）の小セル基地局装置とは、容量拡大のためにスポット的に設置されるカバレッジが狭い基地局装置を指し、一例として３．４ＧＨｚ帯などの高周波数の帯域が利用される。
また、キャリアアグリゲーションにおいて、移動端末装置と基地局装置とのＲＲＣ（Ｒａｄｉｏ  Ｒｅｓｏｕｒｃｅ  Ｃｏｎｔｒｏｌ）接続を管理する基地局装置をＰＣｅｌｌ（Ｐｒｉｍａｒｙ  Ｃｅｌｌ）と呼び、それ以外の基地局をＳＣｅｌｌ（Ｓｅｃｏｎｄａｒｙ  Ｃｅｌｌ）と呼ぶ。また、Ｃ−Ｐｌａｎｅは移動端末装置の接続管理やモビリティ制御を行うためのプロトコルであり、Ｕ−Ｐｌａｎｅはユーザトラヒックやスケジューリング情報の送受信に関するプロトコルである。
【０００５】
また、下りリンク（ＤＬ：Ｄｏｗｎ  Ｌｉｎｋ）は、基地局装置から移動端末装置への方向の通信を表し、上りリンク（ＵＬ：Ｕｐ  Ｌｉｎｋ）は、移動端末装置から基地局装置への方向の通信を表す。
【先行技術文献】
【非特許文献】
【０００６】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【非特許文献３】３ＧＰＰ  ＴＳ３６．３３１  ｖ１１．１．０、  “Ｅ−ＵＴＲＡ  ＲＲＣ  Ｐｒｏｔｏｃｏｌ  ｓｐｅｃｉｆｉｃａｔｉｏｎ”、  ２０１２−０９．
【発明の概要】
【発明が解決しようとする課題】
【０００７】
図７は、ＰＣｅｌｌの通信品質劣化に伴う通信接続断と再接続処理の例を説明するための図である。
図７に示される通信システムは、マクロ基地局装置１００１−１と、小セル基地局装置１００２−１と、移動端末装置１０２１−１を備える。また、図７には、マクロ基地局装置１００１−１のセル（通信領域）１０１１−１と、小セル基地局装置１００２−１のセル（通信領域）１０１２−１を示してあり、図７の例では、小セル基地局装置１００２−１のセル１０１２−１は、マクロ基地局装置１００１−１のセル１０１１−１に含まれている。
【０００８】
移動端末装置１０２１−１について、マクロ基地局装置１００１−１がＰＣｅｌｌでありＣ−Ｐｌａｎｅを通信し、小セル基地局装置１００２−１がＳＣｅｌｌでありＵ−Ｐｌａｎｅを通信する、とする。通信システムでは、次の処理（１）〜（３）を行う。
（１）移動端末装置１０２１−１とＰＣｅｌｌとの通信品質が劣化し、移動端末装置１０２１−１とＰＣｅｌｌとの通信接続の切断（通信接続断）が発生すると、移動端末装置１０２１−１とＳＣｅｌｌとの通信品質に関わらず、移動端末装置１０２１−１と基地局ネットワークとの接続が切断される。
（２）ＰＣｅｌｌとの再接続を実施する移動端末装置１０２１−１は、ＰＣｅｌｌとの再接続処理中にＳＣｅｌｌとの接続をリセット（接続断）する。
（３）このため、移動端末装置１０２１−１は、ＳＣｅｌｌとの通信を行うためには、再度、ＳＣｅｌｌとの再接続処理を実施しなければならない。
【０００９】
上記のような処理（１）〜（３）において、移動端末装置１０２１−１は、ＰＣｅｌｌとの通信切断後、新たな基地局装置との再接続が完了するまで、基地局ネットワークと通信することができず、また、ＳＣｅｌｌとの再接続には更なる時間を要するという問題があった。
【００１０】
本発明は、このような事情を考慮してなされたもので、端末装置と基地局ネットワークとの通信接続断の発生を低減（又は、防止）することができる端末装置、基地局装置、通信システム及び通信方法を提供することを課題とする。
【課題を解決するための手段】
【００１１】
（１）上記の課題を解決するために、本発明に係る端末装置は、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記主となる基地局装置との無線通信の品質があらかじめ定められた条件に基づいて低い状態を検出する通信品質検出部と、前記通信品質検出部により前記状態が検出された場合に、前記無線通信部によりあらかじめ定められた信号を基地局装置の側へ無線により送信する信号送信制御部と、を備えることを特徴とする。
【００１２】
（２）上記の課題を解決するために、本発明に係る基地局装置は、端末装置との間で無線により通信する無線通信部と、主となる基地局装置として前記無線通信部により端末装置との間で無線通信が可能であるように接続しているときに、前記端末装置からあらかじめ定められた信号を受信した場合に、従となる基地局装置として前記端末装置との間で無線通信が可能であるように接続している他の基地局装置との間におけるハンドオーバの処理を実行するハンドオーバ処理実行部と、を備えることを特徴とする。
【００１３】
（３）上記の課題を解決するために、本発明に係る通信システムは、端末装置と、複数の基地局装置を有し、前記端末装置は、主となる基地局装置との間で無線通信が可能となるように接続するとともに従となる基地局装置との間で無線通信が可能となるように接続し、前記主となる基地局装置との無線通信の品質があらかじめ定められた条件に基づいて低い状態を検出した場合に、あらかじめ定められた信号を基地局装置の側へ無線により送信し、前記基地局装置は、主となる基地局装置として前記端末装置との間で無線通信が可能であるように接続しているときに、前記端末装置から前記あらかじめ定められた信号を受信した場合に、従となる基地局装置として前記端末装置との間で無線通信が可能であるように接続している他の基地局装置との間におけるハンドオーバの処理を実行する、ことを特徴とする。
【００１４】
（４）本発明は、上記した（３）に記載の通信システムにおいて、前記ハンドオーバの処理において、前記従となる基地局装置から新たに主となる基地局装置へ切り替えられる前記他の基地局装置と前記端末装置との間におけるランダムアクセスの処理を不実行とする、ことを特徴とする。
【００１５】
（５）本発明は、上記した（３）又は上記した（４）に記載の通信システムにおいて、前記ハンドオーバの処理において、前記主となる基地局装置から新たに従となる基地局装置へ切り替えられる基地局装置は、自装置の識別情報を新たに従となる基地局装置の候補の情報として、前記従となる基地局装置から新たに主となる基地局装置へ切り替えられる前記他の基地局装置へ送信し、前記ハンドオーバの処理が完了した後に、前記主となる基地局装置から新たに従となる基地局装置へ切り替えられた基地局装置を従となる基地局装置として前記端末装置と接続する、ことを特徴とする。
【００１６】
（６）本発明は、上記した（５）に記載の通信システムにおいて、前記主となる基地局装置から新たに従となる基地局装置へ切り替えられた基地局装置を従となる基地局装置として前記端末装置と接続する処理において、前記従となる基地局装置と前記端末装置との間におけるランダムアクセスの処理を不実行とする、ことを特徴とする。
【００１７】
（７）上記の課題を解決するために、本発明に係る通信方法は、端末装置は、主となる基地局装置との間で無線通信が可能となるように接続するとともに従となる基地局装置との間で無線通信が可能となるように接続し、前記主となる基地局装置との無線通信の品質があらかじめ定められた条件に基づいて低い状態を検出した場合に、あらかじめ定められた信号を基地局装置の側へ無線により送信し、基地局装置は、主となる基地局装置として前記端末装置との間で無線通信が可能であるように接続しているときに、前記端末装置から前記あらかじめ定められた信号を受信した場合に、従となる基地局装置として前記端末装置との間で無線通信が可能であるように接続している他の基地局装置との間におけるハンドオーバの処理を実行する、ことを特徴とする。
【発明の効果】
【００１８】
本発明によれば、端末装置と基地局ネットワークとの通信接続断の発生を低減（又は、防止）することができる。
【図面の簡単な説明】
【００１９】
【図１】本発明の一実施形態に係る通信システムの概略的な構成を示すブロック図である。
【図２】本発明の一実施形態に係る移動端末装置の概略的な構成を示すブロック図である。
【図３】本発明の一実施形態に係るマクロ基地局装置の概略的な構成を示すブロック図である。
【図４】本発明の一実施形態に係る小セル基地局装置の概略的な構成を示すブロック図である。
【図５】本発明の一実施形態に係る通信システムにおいて行われる処理（ＰＣｅｌｌとＳＣｅｌｌの切り替えにより通信接続断を回避する処理）の例を説明するための図である。
【図６】ハンドオーバの手続きの一例を示すシーケンス図である。
【図７】ＰＣｅｌｌの通信品質劣化に伴う通信接続断と再接続処理の例を説明するための図である。
【発明を実施するための形態】
【００２０】
以下、図面を参照し、本発明の実施形態について説明する。
＜本実施形態に係る通信システムの構成＞
本実施形態に係る通信システムでは、Ｃ−ＰｌａｎｅのデータはＰＣｅｌｌを介して送受信され、Ｕ−ＰｌａｎｅのデータはＰＣｅｌｌとＳＣｅｌｌとのいずれか一方、若しくは、両方を介して送受信されるとする。また、本実施形態に係る通信システムでは、マクロ基地局装置と小セル基地局装置は、それぞれ、ＰＣｅｌｌとして接続することもでき、ＳＣｅｌｌとして接続することもできるとする。
【００２１】
図１は、本発明の一実施形態に係る通信システムの概略的な構成を示すブロック図である。
本実施形態に係る通信システムは、複数（図１の例では、２個示す。）のマクロ基地局装置１−１〜１−２と、複数（図１の例では、３個示す。）の小セル基地局装置２−１〜２−３と、複数（図１の例では、１個のみ示す。）の移動端末装置（端末装置の一例）２１−１を備える。また、図１には、各マクロ基地局装置１−１〜１−２のセル（通信領域）１１−１〜１１−２と、各小セル基地局装置２−１〜２−３のセル（通信領域）１２−１〜１２−３を示してある。
【００２２】
図１の例では、小セル基地局装置２−１〜２−２のセル１２−１〜１２−２は、マクロ基地局装置１−１のセル１１−１に含まれており、また、２個のマクロ基地局装置１−１〜１−２のセル１１−１〜１１−２と１個の小セル基地局装置２−３のセル１２−３は、互いに重複する領域（エリア）を有している。
移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する、とする。
【００２３】
本実施形態では、各マクロ基地局装置１−１〜１−２と各小セル基地局装置２−１〜２−３は、互いに直接又は間接に通信することが可能となるように接続されている。この通信としては、例えば、有線の通信が用いられてもよく、又は、無線の通信が用いられてもよい。
本実施形態に係る通信システムでは、移動端末装置２１−１は、Ｃ／Ｕ分離を用いたマクロ基地局装置１−１〜１−２と小セル基地局装置２−１〜２−３との同時通信が可能である。
なお、通信システムにおいて、マクロ基地局装置の数や、小セル基地局装置の数や、移動端末装置の数としては、それぞれ、様々な数が用いられてもよい。
【００２４】
＜本実施形態に係る移動端末装置の構成＞
図２は、本発明の一実施形態に係る移動端末装置の概略的な構成を示すブロック図である。本実施形態では、各移動端末装置は同様な構成を有し同様な動作を行うため、これらをまとめて移動端末装置２１として説明する。
本実施形態に係る移動端末装置２１は、アンテナ１０１と、無線通信部１０２と、入力部１０３と、出力部１０４と、記憶部１０５と、制御部１０６を備える。
制御部１０６は、接続制御部２０１と、通信品質検出部２０２と、信号送信制御部２０３を備える。
【００２５】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、基地局装置（本実施形態では、マクロ基地局装置１−１〜１−２や小セル基地局装置２−１〜２−３）との間で無線により通信する。
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００２６】
接続制御部２０１は、無線通信部１０２により、主となる基地局装置（本実施形態では、ＰＣｅｌｌ）との間で無線通信が可能となるように接続するとともに、従となる基地局装置（本実施形態では、ＳＣｅｌｌ）との間で無線通信が可能となるように接続する。
通信品質検出部２０２は、主となる基地局装置との無線通信の品質があらかじめ定められた条件に基づいて低い状態を検出する。
信号送信制御部２０３は、通信品質検出部２０２により前記状態が検出された場合に、無線通信部１０２によりあらかじめ定められた信号を基地局装置の側へ無線により送信する。
【００２７】
＜本実施形態に係るマクロ基地局装置の構成＞
図３は、本発明の一実施形態に係るマクロ基地局装置の概略的な構成を示すブロック図である。本実施形態では、各マクロ基地局装置は同様な構成を有し同様な動作を行うため、これらをまとめてマクロ基地局装置１として説明する。
本実施形態に係るマクロ基地局装置１は、アンテナ１２１と、無線通信部１２２と、通信部１２３と、記憶部１２４と、制御部１２５を備える。
制御部１２５は、ハンドオーバ処理実行部３０１を備える。
【００２８】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、移動端末装置２１−１との間で無線により通信する。
通信部１２３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能であるように接続している移動端末装置２１−１に関する情報（例えば、管理するための情報）を記憶する。
制御部１２５は、各種の処理や制御を行う。
【００２９】
ハンドオーバ処理実行部３０１は、主となる基地局装置として無線通信部１２２により移動端末装置２１−１との間で無線通信が可能であるように接続しているときに、前記移動端末装置２１−１からあらかじめ定められた信号を受信した場合に、従となる基地局装置として前記移動端末装置２１−１との間で無線通信が可能であるように接続している他の基地局装置との間におけるハンドオーバの処理を実行する。
【００３０】
＜本実施形態に係る小セル基地局装置の構成＞
図４は、本発明の一実施形態に係る小セル基地局装置の概略的な構成を示すブロック図である。本実施形態では、各小セル基地局装置は同様な構成を有し同様な動作を行うため、これらをまとめて小セル基地局装置２として説明する。
本実施形態に係る小セル基地局装置２は、アンテナ１４１と、無線通信部１４２と、通信部１４３と、記憶部１４４と、制御部１４５を備える。
制御部１４５は、ハンドオーバ処理実行部４０１を備える。
【００３１】
アンテナ１４１は、無線の信号を通信（送信及び受信）する。
無線通信部１４２は、送信対象の信号を処理してアンテナ１４１から無線により送信し、アンテナ１４１により受信された無線の信号を処理する。無線通信部１４２は、例えば、移動端末装置２１−１との間で無線により通信する。
通信部１４３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１４４は、各種の情報を記憶する。記憶部１４４は、例えば、メモリから構成される。記憶部１４４は、例えば、制御部１４５などのプロセッサにより処理されるプログラムを記憶する。また、記憶部１４４は、例えば、無線通信が可能であるように接続している移動端末装置２１−１に関する情報（例えば、管理するための情報）を記憶する。
制御部１４５は、各種の処理や制御を行う。
【００３２】
ハンドオーバ処理実行部４０１は、主となる基地局装置として無線通信部１４２により移動端末装置２１−１との間で無線通信が可能であるように接続しているときに、前記移動端末装置２１−１からあらかじめ定められた信号を受信した場合に、従となる基地局装置として前記移動端末装置２１−１との間で無線通信が可能であるように接続している他の基地局装置との間におけるハンドオーバの処理を実行する。
【００３３】
＜本実施形態に係る通信システムにおいて行われる処理＞
図５は、本発明の一実施形態に係る通信システムにおいて行われる処理（ＰＣｅｌｌとＳＣｅｌｌの切り替えにより通信接続断を回避する処理）の例を説明するための図である。
図５には、本処理を説明するための構成として、マクロ基地局装置１−１と、小セル基地局装置２−１と、移動端末装置２１−１と、マクロ基地局装置１−１のセル１１−１と、小セル基地局装置２−１のセル１２−１を示してある。
【００３４】
移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する、とする。
本実施形態に係る通信システムでは、概略的には、移動端末装置２１−１とＰＣｅｌｌとの通信品質の劣化を検出（検知）し、移動端末装置２１−１とＳＣｅｌｌとの通信品質が良い場合には、ＰＣｅｌｌとＳＣｅｌｌとの間で移動端末装置２１−１の接続に関する情報を交換し、ＰＣｅｌｌとＳＣｅｌｌの接続を交換する。
他の構成例として、ＰＣｅｌｌのみ接続を切り替え、ＳＣｅｌｌの接続を切断することもできる。この場合には、接続の切り替え後は、移動端末装置２１−１はＰＣｅｌｌのみとの接続となる。
【００３５】
具体例として、本実施形態に係る通信システムでは、次の処理（１）〜（３）を行う。
（１）移動端末装置２１−１は、通信品質検出部２０２により、ＰＣｅｌｌ（この段階では、マクロ基地局装置１−１）との通信の品質とＳＣｅｌｌ（この段階では、小セル基地局装置２−１）との通信の品質を監視し、所定の条件に基づいてＰＣｅｌｌの通信品質の劣化を検出（検知）した場合に、信号送信制御部２０３により、その旨をＰＣｅｌｌに通知する。つまり、二つ以上のＣｅｌｌ（ＰＣｅｌｌとＳｃｅｌｌ）の受信品質を利用したトリガリングイベント（Ｔｒｉｇｇｅｒｉｎｇ  Ｅｖｅｎｔ）を定義することにより、より適切なタイミングで受信品質の高いセルをＰＣｅｌｌとして利用することが可能となり、通信を安定させることが可能となる。
これにより、移動端末装置２１−１は、ＰＣｅｌｌのＲＬＦ（Ｒａｄｉｏ  Ｌｉｎｋ  Ｆａｉｌｕｒｅ）の前に、ＰＣｅｌｌとＳＣｅｌｌの交換を要求する。
【００３６】
ここで、ＰＣｅｌｌの通信品質の監視条件及びＳＣｅｌｌの通信品質の監視条件として、ＰＣｅｌｌとＳｃｅｌｌの受信品質の比較に基づくトリガリングイベントと、ＰＣｅｌｌとＳｃｅｌｌそれぞれが個別に参照する閾値に基づくトリガリングイベントを導入する。具体的に、次のような２つの新たなメジャメントレポート（ＭＲ：Ｍｅａｓｕｒｅｍｅｎｔ  Ｒｅｐｏｒｔ）のトリガリングイベントを規定する。これら２つのメジャメントレポートのトリガリングイベントのうちのいずれが用いられてもよい。
【００３７】
＜メジャメントレポートのトリガリングイベントの第１の例＞
この第１の例では、概略的には、ＳＣｅｌｌの通信品質がＰＣｅｌｌの通信品質よりもオフセット値（又は、更に調整値があってもよい）を超えて良くなる場合に、ＰＣｅｌｌの通信品質の劣化を検出する、という条件を用いる。
なお、ここで示す例は、非特許文献３の５．５．４．４  Ｅｖｅｎｔ  Ａ３  （Ｎｅｉｇｈｂｏｕｒ  ｂｅｃｏｍｅｓ  ｏｆｆｓｅｔ  ｂｅｔｔｅｒ  ｔｈａｎ  ＰＣｅｌｌ）において、Ｎｅｉｇｈｂｏｕｒに関する値を、ＳＣｅｌｌに関する値へ置き換えたものである。
【００３８】
第１の例に係るメジャメントレポートの送信を開始する条件（Ｅｎｔｅｒｉｎｇ  Ｃｏｎｄｉｔｉｏｎ）は、式（１）で表される。
第１の例に係るメジャメントレポートの送信を中止する条件（Ｌｅａｖｉｎｇ  Ｃｏｎｄｉｔｉｏｎ）は、式（２）で表される。
【００３９】
（数１）
Ｍｎ＋Ｏｆｎ＋Ｏｃｎ−Ｈｙｓ＞Ｍｐ＋Ｏｆｐ＋Ｏｃｐ＋Ｏｆｆ    ・・（１）
【００４０】
（数２）
Ｍｎ＋Ｏｆｎ＋Ｏｃｎ＋Ｈｙｓ＜Ｍｐ＋Ｏｆｐ＋Ｏｃｐ＋Ｏｆｆ    ・・（２）
【００４１】
ここで、Ｍｎは、ＳＣｅｌｌの受信電力［ｄＢｍ］若しくは受信品質［ｄＢ］である。Ｏｆｎは、ＳＣｅｌｌの周波数オフセットである。Ｏｃｎは、ＳＣｅｌｌに対する固有オフセットである。Ｍｐは、ＰＣｅｌｌの受信電力［ｄＢｍ］若しくは受信品質［ｄＢ］である。Ｏｆｐは、プライマリ周波数に対するオフセットである。Ｏｃｐは、ＰＣｅｌｌのセル固有オフセットである。Ｈｙｓは、ヒステリシスパラメータである。Ｏｆｆは、イベント（Ｅｖｅｎｔ）に固有のオフセットであり、各オフセットの値はｄＢの単位で与えられる。
【００４２】
＜メジャメントレポートのトリガリングイベントの第２の例＞
この第２の例では、概略的には、ＰＣｅｌｌの通信品質が第１の閾値よりも悪くなり、且つ、ＳＣｅｌｌの通信品質が第２の閾値よりも良くなる、という条件を用いる。
なお、ここで示す例は、非特許文献３の５．５．４．６  Ｅｖｅｎｔ  Ａ５  （ＰＣｅｌｌ  ｂｅｃｏｍｅｓ  ｗｏｒｓｅ  ｔｈａｎ  ｔｈｒｅｓｈｏｌｄ１  ａｎｄ  ｎｅｉｇｈｂｏｕｒ  ｂｅｃｏｍｅｓ  ｂｅｔｔｅｒ  ｔｈａｎ  ｔｈｒｅｓｈｏｌｄ２）において、Ｎｅｉｇｈｂｏｕｒに関する値を、ＳＣｅｌｌに関する値へ置き換えたものである。
【００４３】
第２の例に係るメジャメントレポートの送信を開始する条件（Ｅｎｔｅｒｉｎｇ  Ｃｏｎｄｉｔｉｏｎ）は、条件１が式（３）で表され、条件２が式（４）で表される。
第２の例に係るメジャメントレポートの送信を中止する条件（Ｌｅａｖｉｎｇ  Ｃｏｎｄｉｔｉｏｎ）は、条件１が式（５）で表され、条件２が式（６）で表される。
【００４４】
（数３）
Ｍｐ＋Ｈｙｓ＜Ｔｈｒｅｓｈ１    ・・（３）
【００４５】
（数４）
Ｍｎ＋Ｏｆｎ＋Ｏｃｎ−Ｈｙｓ＞Ｔｈｒｅｓｈ２    ・・（４）
【００４６】
（数５）
Ｍｐ−Ｈｙｓ＞Ｔｈｒｅｓｈ１    ・・（５）
【００４７】
（数６）
Ｍｎ＋Ｏｆｎ＋Ｏｃｎ＋Ｈｙｓ＜Ｔｈｒｅｓｈ２    ・・（６）
【００４８】
ここで、Ｍｐは、ＰＣｅｌｌの受信電力［ｄＢｍ］若しくは受信品質［ｄＢ］である。Ｍｎは、ＳＣｅｌｌの受信電力［ｄＢｍ］若しくは受信品質［ｄＢ］である。Ｏｆｎは、ＳＣｅｌｌの周波数オフセットである。Ｏｃｎは、ＳＣｅｌｌに対する固有オフセットである。Ｈｙｓは、ヒステリシスパラメータである。Ｔｈｒｅｓｈ１及びＴｈｒｅｓｈ２は、それぞれ、Ｍｐ及びＭｎに対して設定する閾値であり、各閾値はｄＢの単位で与えられる。
なお、第１の閾値であるＴｈｒｅｓｈ１及び第２の閾値であるＴｈｒｅｓｈ２としては、それぞれ、様々な値が用いられてもよい。
【００４９】
（２）ＰＣｅｌｌ（この段階では、マクロ基地局装置１−１）の通信品質の劣化に関する通知を受けたＰＣｅｌｌは、ハンドオーバ処理実行部（ここでは、マクロ基地局装置１−１のハンドオーバ処理実行部３０１）により、ＳＣｅｌｌ（この段階では、小セル基地局装置２−１）との間でハンドオーバ（ＨＯ）の処理を開始する。ＰＣｅｌｌとＳＣｅｌｌは、互いに情報交換をする。
ここで、ＳＣｅｌｌは、既に上りリンク（移動端末装置２１−１からＳＣｅｌｌへのリンク）の同期を確立しているため、例えば、図６に示す従来の技術と同様なハンドオーバの手続き（Ｐｒｏｃｅｄｕｒｅ）において、（手順９）のＳｙｎｃｈｒｏｎｉｓａｔｉｏｎ処理を省略してもよい。
【００５０】
（３）移動端末装置２１−１は、小セル基地局装置２−１をＰＣｅｌｌとして再接続する。ＰＣｅｌｌである小セル基地局装置２−１から移動端末装置２１−１へＣ−Ｐｌａｎｅの信号を無線送信する。
なお、前記（２）におけるハンドオーバの処理において、ＰＣｅｌｌ（この段階では、マクロ基地局装置１−１）は自己の基地局番号（ＰＣＩ：Ｐｈｙｓｉｃａｌ  Ｃｅｌｌ  Ｉｄｅｎｔｉｆｉｅｒ）を新たなＳＣｅｌｌの候補としてＳＣｅｌｌ（この段階では、小セル基地局装置２−１）に通知し、ハンドオーバの処理の完了後に即座に、元のＰＣｅｌｌ（マクロ基地局装置１−１）をＳＣｅｌｌとして移動端末装置２１−１と再接続してもよい。また、元のＰＣｅｌｌとの再接続処理において、元のＰＣｅｌｌは、既に上りリンク（移動端末装置２１−１から元のＰＣｅｌｌへのリンク）の同期を確立しているため、例えば、図６に示す（手順９）と同様のＳｙｎｃｈｒｏｎｉｓａｔｉｏｎ処理を省略してもよい。
【００５１】
＜ハンドオーバの手続きの例＞
図６は、ハンドオーバの手続きの一例を示すシーケンス図である。図６の例に係るハンドオーバの手続きは、従来の技術と同様であり、非特許文献１におけるＦｉｇｕｒｅ  １０．１．２．１．１−１：Ｉｎｔｒａ−ＭＭＥ／Ｓｅｒｖｉｎｇ  Ｇａｔｅｗａｙ  ＨＯの手続きに相当する（詳細は、非特許文献１参照。）。
図６は、移動端末装置（ＵＥ）２１と、ハンドオーバの元（Ｓｏｕｒｃｅ）となる基地局装置（ｅＮＢ）１−１と、ハンドオーバの先（Ｔａｒｇｅｔ）となる基地局装置（ｅＮＢ）２−１と、上位の装置であるＭＭＥ（Ｍｏｂｉｌｉｔｙ  Ｍａｎａｇｅｍｅｎｔ  Ｅｎｔｉｔｙ）５０１と、サービングゲートウェイ（Ｓｅｒｖｉｎｇ  Ｇａｔｅｗａｙ）５０２について行われるハンドオーバの手続きの例（手順１）〜（手順１１）を示してある。
なお、この例では、ハンドオーバの元（Ｓｏｕｒｃｅ）となる基地局装置（ｅＮＢ）１−１はマクロ基地局装置１−１であり、ハンドオーバの先（Ｔａｒｇｅｔ）となる基地局装置（ｅＮＢ）２−１は小セル基地局装置２−１である。
【００５２】
図６に示されるハンドオーバの手続きの概要を説明する。
（手順１）移動端末装置２１と現在接続している基地局装置（ハンドオーバ元の基地局装置）１−１から移動端末装置２１へ電力測定条件やＭＲ送信条件を通知する（Ｍｅａｓｕｒｅｍｅｎｔ  Ｃｏｎｔｒｏｌ）。
（手順２）移動端末装置２１は、ＭＲ送信条件を満たすと、現在接続している基地局装置１−１に対して、電力測定結果をＭＲとして通知する（Ｍｅａｓｕｒｅｍｅｎｔ  Ｒｅｐｏｒｔｓ）。
（手順３）現在接続している基地局装置１−１は、受信したＭＲを参照し、ハンドオーバの実施の有無を判定する（ＨＯ  ｄｅｃｉｓｉｏｎ）。
【００５３】
（手順４）ハンドオーバの実施をする場合には、ハンドオーバ元の基地局装置１−１からハンドオーバ先の基地局装置２−１へハンドオーバの実施を要求する（Ｈａｎｄｏｖｅｒ  Ｒｅｑｕｅｓｔ）。
（手順５）ハンドオーバ先の基地局装置２−１は、ハンドオーバの受け入れの可否を判断する（Ａｄｍｉｓｓｉｏｎ  Ｃｏｎｔｒｏｌ）。
（手順６）ハンドオーバの実施を許可する場合には、ハンドオーバ先の基地局装置２−１からハンドオーバ元の基地局装置１−１へハンドオーバの実施の許可を通知する（Ｈａｎｄｏｖｅｒ  Ｒｅｑｕｅｓｔ  Ａｃｋ）。
【００５４】
（手順７）ハンドオーバ元の基地局装置１−１から移動端末装置２１へ、ハンドオーバ先の基地局装置２−１への接続に必要な情報を転送し、ハンドオーバ先の基地局装置２−１へのハンドオーバの実施を指示する（ＲＲＣ  ｃｏｎｎ．  Ｒｅｃｏｎｆ．  ｉｎｃｌ．  ｍｏｂｉｌｉｔｙ  Ｃｏｎｔｒｏｌ  ｉｎｆｏｒｍａｔｉｏｎ）。
（手順８）ハンドオーバ元の基地局装置１−１からハンドオーバ先の基地局装置２−１へ、未送信データを転送する（ＳＮ  Ｓｔａｔｕｓ  Ｔｒａｎｓｆｅｒ）。
（手順９）移動端末装置２１は、ハンドオーバ先の基地局装置２−１に対して、上りリンクの同期処理（Ｎｏｎ−ｃｏｎｔｅｎｔｉｏｎ  ｒａｎｄｏｍ  ａｃｃｅｓｓ  ｐｒｏｃｅｄｕｒｅ）を実施する（Ｓｙｎｃｈｒｏｎｉｓａｔｉｏｎ）。
【００５５】
（手順１０）ハンドオーバ先の基地局装置２−１から移動端末装置２１へ上りリンク（ＵＬ：Ｕｐ  Ｌｉｎｋ）のリソース割り当てを行う（ＵＬ  ａｌｌｏｃａｔｉｏｎ  ＋  ＴＡ  ｆｏｒ  ＵＥ）。
（手順１１）移動端末装置２１からハンドオーバ先の基地局装置２−１へ接続完了を通知する（ＲＲＣ  ｃｏｎｎ．  Ｒｅｃｏｎｆ．  Ｃｏｍｐｌｅｔｅ）。
【００５６】
＜本実施形態の構成及び効果のまとめ＞
以上のように、本実施形態に係る通信システムでは、移動端末装置２１−１が複数の基地局装置１−１、２−１に同時に接続して無線通信することが可能な構成において、移動端末装置２１−１と基地局ネットワークとの接続管理を司る基地局装置（本実施形態では、ＰＣｅｌｌ）との通信品質が劣化した場合に、基地局ネットワークとの接続管理を司る基地局装置（本実施形態では、ＰＣｅｌｌ）を、より通信品質が良い他の接続基地局装置（本実施形態では、ＳＣｅｌｌ）と切り替えることにより、通信接続断の発生を低減する（例えば、未然に防ぐ）。
【００５７】
本実施形態に係る通信システムでは、一例として、移動端末装置２１−１は、ＳＣｅｌｌの受信電力（若しくは、受信品質）がＰＣｅｌｌの受信電力（若しくは、受信品質）を、所定のオフセット以上（又は、更に所定の調整値があってもよい）、上回ったことを検出した場合に、基地局ネットワークに対して通知メッセージを送信する。他の一例として、移動端末装置２１−１は、ＰＣｅｌｌの受信電力（若しくは、受信品質）が第１の閾値を下回り、且つ、ＳＣｅｌｌの受信電力（若しくは、受信品質）が第２の閾値を上回ったことを検出した場合に、基地局ネットワークに対して通知メッセージを送信する。
【００５８】
本実施形態に係る通信システムでは、前記した通知メッセージ（前記した一例に係る通知メッセージ、又は、前記した他の一例に係る通知メッセージ）を受信したＰＣｅｌｌは、ＳＣｅｌｌとのハンドオーバを実行する。
本実施形態に係る通信システムでは、このようなＰＣｅｌｌとＳＣｅｌｌとのハンドオーバの処理において、例えば、移動端末装置２１−１がＳＣｅｌｌとのランダムアクセス（Ｒａｎｄｏｍ  ａｃｃｅｓｓ）の手続き（ｐｒｏｃｅｄｕｒｅ）を行わずに、ハンドオーバを実行する。
本実施形態に係る通信システムでは、例えば、ＰＣｅｌｌとＳＣｅｌｌとのハンドオーバの処理中に、ＰＣｅｌｌ（元のＰＣｅｌｌ）は自己の基地局番号（ＰＣＩ）を新たなＳＣｅｌｌ候補としてＳＣｅｌｌ（元のＳＣｅｌｌ）に通知し、ハンドオーバの処理の完了後に、元のＰＣｅｌｌを即座にＳＣｅｌｌとして移動端末装置２１−１と再接続する。また、元のＰＣｅｌｌとの再接続処理において、例えば、移動端末装置２１−１が元のＰＣｅｌｌとのランダムアクセス（Ｒａｎｄｏｍ  ａｃｃｅｓｓ）の手続き（ｐｒｏｃｅｄｕｒｅ）を行わずに、ＳＣｅｌｌとしての再接続を実行する。
【００５９】
以上のように、本実施形態に係る通信システムによると、基地局装置の接続の切り替えとして、移動端末装置２１−１とＰＣｅｌｌとの通信接続断が発生する前に、電力品質が劣化したＰＣｅｌｌと電力品質が良いＳＣｅｌｌとの接続を切り替えることにより、移動端末装置２１−１と基地局ネットワークとの通信接続断の発生を低減する（例えば、防ぐ）ことができる。
例えば、従来技術では通信接続断が発生すると移動端末装置と新たな基地局装置との再接続に多くの時間を要するが、本実施形態に係る通信システムでは、通信接続断が発生する前に既に下りリンク／上りリンクについて両方とも移動端末装置２１−１との接続が確立されている基地局装置（ＳＣｅｌｌ）への接続切替を行うため、接続切替に要する時間が短く、移動端末装置２１−１の通信性能に与える影響が小さい。
【００６０】
［以上の実施形態に係る構成例］
一構成例として、基地局装置（以上の実施形態では、マクロ基地局装置１−１〜１−２や、小セル基地局装置２−１〜２−３）との間で無線により通信する無線通信部（以上の実施形態では、無線通信部１０２）と、前記無線通信部により、主となる基地局装置（以上の実施形態では、ＰＣｅｌｌ）との間で無線通信が可能となるように接続するとともに、従となる基地局装置（以上の実施形態では、ＳＣｅｌｌ）との間で無線通信が可能となるように接続する接続制御部（以上の実施形態では、接続制御部２０１）と、前記主となる基地局装置との無線通信の品質があらかじめ定められた条件に基づいて低い状態を検出する通信品質検出部（以上の実施形態では、通信品質検出部２０２）と、前記通信品質検出部により前記状態が検出された場合に、前記無線通信部によりあらかじめ定められた信号を基地局装置の側（以上の実施形態では、ＰＣｅｌｌ、又は、ＳＣｅｌｌ）へ無線により送信する信号送信制御部（以上の実施形態では、信号送信制御部２０３）と、を備えることを特徴とする端末装置（以上の実施形態では、移動端末装置２１−１）である。
【００６１】
一構成例として、端末装置との間で無線により通信する無線通信部（以上の実施形態では、無線通信部１２２、１４２）と、主となる基地局装置として前記無線通信部により端末装置との間で無線通信が可能であるように接続しているときに、前記端末装置からあらかじめ定められた信号を受信した場合に、従となる基地局装置として前記端末装置との間で無線通信が可能であるように接続している他の基地局装置との間におけるハンドオーバの処理を実行するハンドオーバ処理実行部（以上の実施形態では、ハンドオーバ処理実行部３０１、４０１）と、を備えることを特徴とする基地局装置（以上の実施形態では、マクロ基地局装置１−１〜１−２、小セル基地局装置２−１〜２−３）である。
【００６２】
一構成例として、端末装置と、複数の基地局装置を有し、前記端末装置は、主となる基地局装置との間で無線通信が可能となるように接続するとともに従となる基地局装置との間で無線通信が可能となるように接続し、前記主となる基地局装置との無線通信の品質があらかじめ定められた条件に基づいて低い状態を検出した場合に、あらかじめ定められた信号を基地局装置の側へ無線により送信し、前記基地局装置は、主となる基地局装置として前記端末装置との間で無線通信が可能であるように接続しているときに、前記端末装置から前記あらかじめ定められた信号を受信した場合に、従となる基地局装置として前記端末装置との間で無線通信が可能であるように接続している他の基地局装置との間におけるハンドオーバの処理を実行する、ことを特徴とする通信システム（以上の実施形態では、図１に示される通信システム）である。
【００６３】
一構成例として、通信システムでは、前記ハンドオーバの処理において、前記従となる基地局装置から新たに主となる基地局装置へ切り替えられる前記他の基地局装置と前記端末装置との間におけるランダムアクセスの処理を不実行とする（つまり、実行しない）、ことを特徴とする。
【００６４】
一構成例として、通信システムでは、前記ハンドオーバの処理において、前記主となる基地局装置から新たに従となる基地局装置へ切り替えられる基地局装置は、自装置（自己の装置）の識別情報（例えば、番号の情報）を新たに従となる基地局装置の候補の情報として、前記従となる基地局装置から新たに主となる基地局装置へ切り替えられる前記他の基地局装置へ送信し、前記ハンドオーバの処理が完了した後に、前記主となる基地局装置から新たに従となる基地局装置へ切り替えられた基地局装置を従となる基地局装置として前記端末装置と接続する、ことを特徴とする。
【００６５】
一構成例として、通信システムでは、前記主となる基地局装置から新たに従となる基地局装置へ切り替えられた基地局装置を従となる基地局装置として前記端末装置と接続する処理において、前記従となる基地局装置と前記端末装置との間におけるランダムアクセスの処理を不実行とする（つまり、実行しない）、ことを特徴とする。
【００６６】
一構成例として、端末装置は、主となる基地局装置との間で無線通信が可能となるように接続するとともに従となる基地局装置との間で無線通信が可能となるように接続し、前記主となる基地局装置との無線通信の品質があらかじめ定められた条件に基づいて低い状態を検出した場合に、あらかじめ定められた信号を基地局装置の側へ無線により送信し、基地局装置は、主となる基地局装置として前記端末装置との間で無線通信が可能であるように接続しているときに、前記端末装置から前記あらかじめ定められた信号を受信した場合に、従となる基地局装置として前記端末装置との間で無線通信が可能であるように接続している他の基地局装置との間におけるハンドオーバの処理を実行する、ことを特徴とする通信方法（以上の実施形態では、図１に示される通信システムにおいて行われる通信の方法）である。
【００６７】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００６８】
また、以上に示した各実施形態に係る各装置（例えば、移動端末装置、基地局装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００６９】
なお、ここで言う「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００７０】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
更に、前述した機能をコンピュータシステムに既に記録されているプログラムとの組み合わせで実現できるもの、いわゆる差分ファイル（差分プログラム）であっても良い。
【符号の説明】
【００７１】
１、１−１〜１−２、１００１−１…マクロ基地局装置、２、２−１〜２−３、１００２−１…小セル基地局装置、１１−１〜１１−２、１２−１〜１２−３、１０１１−１、１０１２−１…セル（通信領域）、２１、２１−１、１０２１−１…移動端末装置、１０１、１２１、１４１…アンテナ、１０２、１２２、１４２…無線通信部、１０３…入力部、１０４…出力部、１０５、１２４、１４４…記憶部、１０６、１２５、１４５…制御部、１２３、１４３…通信部、２０１…接続制御部、２０２…通信品質検出部、２０３…信号送信制御部、３０１、４０１…ハンドオーバ処理実行部、５０１…ＭＭＥ、５０２…サービングゲートウェイ
【図１】
2014138286.tif 000003
【図２】
2014138286.tif 000004
【図３】
2014138286.tif 000005
【図４】
2014138286.tif 000006
【図５】
2014138286.tif 000007
【図６】
2014138286.tif 000008
【図７】
2014138286.tif 000009